(57)【要約】【課題】仮設足場等に使用される楔緊結装置を提供する。【解決手段】楔部材を第２部材の上下顎部に設けた上孔と下孔に挿通させ、上下顎部の間に進入させられた第１部材の挿通孔に貫通させ、第１部材と第２部材を楔緊結する装置において、楔部材(26)は、第２部材の下顎部の下孔(30)から下向きに挿出される下端延長部(26a)に所定の限定された角度範囲で正逆回転方向に回動自在な爪部材(34)を設けており、該爪部材は、正転したとき前記下端延長部の背部から突出する突出姿勢(P1)とされ、逆転したとき前記背部に沿う格納姿勢(P2)とされるように構成され、前記下端延長部(26a)を前記下顎部の下孔(30)から挿出した状態で前記爪部材(34)を突出姿勢(P1)とすることにより、該爪部材が楔部材の抜取り方向に関して下孔を通過不能とする抜止め手段を構成する。【選択図】図１
2018071196.tif 000002
【特許請求の範囲】
【請求項１】
腹部(31)と背部(32)の間の幅寸法を下方に向けて次第に幅狭とした楔部材(26)と、
挿通孔(24)を備えると共に該挿通孔の縁部に前記楔部材の背部が圧接される接支部(24a)を設けた第１部材(23)と、
前記第１部材を受入れる受口部と、該受口部の上下に位置する上下顎部(27,28)と、上下顎部のそれぞれに設けられた上孔(29)と下孔(30)を備え、上孔及び下孔の縁部に前記楔部材の腹部が接支される支持部(29a,30a)を設けた第２部材(25)とから構成され、
前記第１部材を第２部材の受口部に進入させた状態で、前記楔部材を前記第２部材の上孔から下孔に挿通することにより前記挿通孔に貫通させ、該楔部材の腹部を前記上下顎部の支持部に接支すると共に、前記挿通孔の接支部に圧接するように構成した楔緊結装置において、
前記楔部材(26)は、第２部材の下顎部の下孔(30)から下向きに挿出される下端延長部(26a)に所定の限定された角度範囲で正逆回転方向に回動自在な爪部材(34)を設けており、該爪部材は、正転したとき前記下端延長部の背部から突出する突出姿勢(P1)とされ、逆転したとき前記背部に沿う格納姿勢(P2)とされるように構成され、
前記下端延長部(26a)を前記下顎部の下孔(30)から挿出した状態で前記爪部材(34)を突出姿勢(P1)とすることにより、該爪部材が楔部材の抜取り方向に関して下孔を通過不能とする抜止め手段を構成して成ることを特徴とする楔緊結装置。
【請求項２】
前記爪部材(34)は、正転側の側縁にガイド部(37)を形成し、前記格納姿勢(P2)と突出姿勢(P3)の間の中間姿勢(P3)とされた状態で、自重により突出姿勢に向けて正転するように構成されており、
前記爪部材(34)を中間姿勢(P3)とした状態で楔部材の下端延長部を前記挿通孔(24)及び下孔(30)のそれぞれに挿通させたとき、ガイド部(37)が挿通孔及び下孔の縁部を摺動することにより爪部材を自重に抗して逆転方向(R)に回動し、ガイド部(37)が前記縁部を通過することにより爪部材を自重で正転方向(F)に回動させるように構成されて成ることを特徴とする請求項１に記載の楔緊結装置。
【請求項３】
前記爪部材(34)を格納姿勢(P2)としたとき、少なくとも楔部材を鉛直姿勢とした状態で、該格納姿勢を保持させる格納保持手段(39)が設けられて成ることを特徴とする請求項１又は２に記載の楔緊結装置。
【発明の詳細な説明】
【技術分野】
【０００１】
本発明は、仮設足場等に使用される楔緊結装置に関する。
【背景技術】
【０００２】
従来、構築と解体を行う仮設足場において、楔緊結装置が提供されている。例えば、図８に示すように、支柱１と横架材２を着脱自在に連結するための装置として、支柱１の長手方向に間隔をあけて固設したフランジ３に設けた挿通孔４に対して、横架材２の端部に固設した顎部材５を楔部材６により緊結するように構成した楔緊結装置が公知である。
【０００３】
顎部材５は、上下顎部７、８にそれぞれ上孔９と下孔１０を設けており、上下顎部７、８の間にフランジ３を進入させたとき、挿通孔４と上孔９及び下孔１０を上下方向に連通させることにより楔挿入路を形成する。
【０００４】
楔部材６は、前記楔挿通路に挿通自在な厚さとされた盤状体より形成され腹部１１と背部１２の間の幅寸法を下方に向けて次第に幅狭とするように形成されており、上端部に上ストッパ１３を設け、下端部に下ストッパ１４を設けている。図示のように、上下ストッパ１３、１４は、頭付のピンを挿着することにより構成されている。
【０００５】
下ストッパ１４は、楔部材６を顎部材５から分離しないように常備させるためのものであり、図８（Ｂ）に示すように、楔部材６を上孔９から抜取り不能とするが、挿通孔４と下孔１０に対しては挿脱可能とされている。従って、下ストッパ１４は、楔部材６の下端部を上孔９に挿入した状態で、該上孔９の下方の狭小な空間内で固着作用を行わなければならない煩雑がある。
【０００６】
上ストッパ１３は、顎部材５に常備された楔部材６を楔挿通路に保持するためのものであり、楔部材６を顎部材５の上下孔９、１０に挿通させた状態で、該上ストッパ１３が上孔９の側縁に係止し、楔部材６を吊持状態に保持する。
【０００７】
緊結に際しては、図８（Ｂ）に示すように、下ストッパ１４が上孔９の下側に係止する位置まで楔部材６を上動させ、傾斜姿勢を保持した状態で、上下顎部７、８の間にフランジ３を進入させる。
【０００８】
その後、楔部材６を起立させながら挿通孔４と下孔１０に挿通させ、ハンマー等により殴打して下動させ、楔部材６の腹部１１を上下孔９、１０の縁部の支持部９ａ、１０ａに接支させると共に、背部１２を挿通孔４の接支部４ａに圧接させ、これにより、図８（Ｃ）に示すようにフランジ３と顎部材５が楔緊結状態で連結される。
【先行技術文献】
【特許文献】
【０００９】
【特許文献１】特開２０１４−１４８７９６号公報
【発明の概要】
【発明が解決しようとする課題】
【００１０】
上述のように、楔緊結装置は、そもそも着脱を可能とした連結手段であるから、楔部材６に抜取り方向の外力が作用したり、フランジ３と顎部材５の相互に軋み等の微動が繰り返して与えられたりすると、楔部材６の緊結状態が弛む可能性がある。
【００１１】
ところで、楔部材の弛緩は、楔緊結装置の宿命であるが、弛緩状態から更に楔部材６がフランジ３の挿通孔４から脱出すると、顎部材５をフランジ３の連結状態が解除されてしまう問題があり、特に、高所作業を行う仮設足場においては憂慮すべき課題となる。
【００１２】
この点に関して、仮に、楔部材６が緊結状態から弛んでも、顎部材５とフランジ３を分離させないように、楔部材６をフランジの挿通孔４と顎部材の下孔１０から脱出不能とする抜止め手段を設ければ、上記課題を解決することが可能になる。
【００１３】
しかしながら、抜止め手段を設けるために楔緊結装置の構造が複雑化する場合は、実施化を困難とする問題があり、しかも、抜止め手段を設けたために、楔部材を挿通孔から下孔に挿通させる作業が困難となり、作業性が悪くなると、ユーザに受け容れられ難い問題があり、これらの問題を解決することが重要な課題となる。
【課題を解決するための手段】
【００１４】
そこで、本発明が手段として構成したところは、腹部と背部の間の幅寸法を下方に向けて次第に幅狭とした楔部材と、挿通孔を備えると共に該挿通孔の縁部に前記楔部材の背部が圧接される接支部を設けた第１部材と、前記第１部材を受入れる受口部と、該受口部の上下に位置する上下顎部と、上下顎部のそれぞれに設けられた上孔と下孔を備え、上孔及び下孔の縁部に前記楔部材の腹部が接支される支持部を設けた第２部材とから構成され、前記第１部材を第２部材の受口部に進入させた状態で、前記楔部材を前記第２部材の上孔から下孔に挿通することにより前記挿通孔に貫通させ、該楔部材の腹部を前記上下顎部の支持部に接支すると共に、前記挿通孔の接支部に圧接するように構成した楔緊結装置において、前記楔部材は、第２部材の下顎部の下孔から下向きに挿出される下端延長部に所定の限定された角度範囲で正逆回転方向に回動自在な爪部材を設けており、該爪部材は、正転したとき前記下端延長部の背部から突出する突出姿勢とされ、逆転したとき前記背部に沿う格納姿勢とされるように構成され、前記下端延長部を前記下顎部の下孔から挿出した状態で前記爪部材を突出姿勢とすることにより、該爪部材が楔部材の抜取り方向に関して下孔を通過不能とする抜止め手段を構成して成る点にある。
【００１５】
この際、前記爪部材は、正転側の側縁にガイド部を形成し、前記格納姿勢と突出姿勢の間の中間姿勢とされた状態で、自重により突出姿勢に向けて正転するように構成されており、前記爪部材を中間姿勢とした状態で楔部材の下端延長部を前記挿通孔及び下孔のそれぞれに挿通させたとき、ガイド部が挿通孔及び下孔の縁部を摺動することにより爪部材を自重に抗して逆転方向に回動し、ガイド部が前記縁部を通過することにより爪部材を自重で正転方向に回動させるように構成されている。
【００１６】
好ましい実施形態において、前記爪部材を格納姿勢としたとき、少なくとも楔部材を鉛直姿勢とした状態で、該格納姿勢を保持させる保持手段が設けられている。
【発明の効果】
【００１７】
本発明によれば、回動自在な爪部材２４を設けた簡単な構造により、万一、楔部材２６が緊結状態から弛んでも、突出姿勢Ｐ１とされた爪部材３４が楔部材２６を脱出不能とする抜止め手段を構成するので、第１部材２３と第２部材２５が連結状態から分離するおそれはなく、連結状態を維持することにより、安全性を確保することができる。
【００１８】
特に、爪部材３４は、中間姿勢Ｐ３とすることにより、挿通孔２４と下孔３０を自由に通過するので、楔緊結のための作業は、従来と同様に、単純に楔部材２６を孔２４、３０に挿通させ、ハンマー等で殴打することにより可動させるだけで良く、煩雑な作業を必要とせず、作業性に優れる効果がある。
【図面の簡単な説明】
【００１９】
【図１】本発明の好ましい基本的実施形態を示しており、（Ａ）は楔部材と第１部材と第２部材の関係を一部断面にて示す正面図、（Ｂ）は緊結状態を一部断面にて示す正面図である。
【図２】本発明の第１実施形態に係る楔部材を示しており、（Ａ）は楔部材と爪部材を分解状態で示す斜視図、（Ｂ）は楔部材に対して爪部材を突出姿勢とした状態を示す斜視図、（Ｃ）は楔部材に対して爪部材を格納姿勢とした状態を示す斜視図である。
【図３】本発明の第１実施形態に係る楔部材における爪部材の作用を示しており、（Ａ）は格納姿勢とした状態を示す断面図、（Ｂ）は中間姿勢とした状態の作用を示す断面図、（Ｃ）は突出姿勢とした状態を示す断面図である。
【図４】本発明の第２実施形態に係る楔部材を示しており、（Ａ）は楔部材と爪部材を分解状態で示す斜視図、（Ｂ）は楔部材に対して爪部材を突出姿勢とした状態を示す斜視図、（Ｃ）は楔部材に対して爪部材を格納姿勢とした状態を示す斜視図である。
【図５】本発明の第２実施形態に係る楔部材における爪部材の作用を示しており、（Ａ）は格納姿勢とした状態を示す正面図、（Ｂ）は中間姿勢とした状態の作用を示す正面図、（Ｃ）は突出姿勢とした状態を示す正面図である。
【図６】本発明の実施形態に基づいて第１部材と第２部材を緊結するための方法に関して、（Ａ）は楔部材を待機姿勢とした状態の断面図、（Ｂ）（Ｃ）（Ｄ）は楔部材をフランジの挿通孔に挿通させるときの作用を示す断面図である。
【図７】本発明の実施形態に基づいて第１部材と第２部材を緊結するための方法に関して、（Ａ）（Ｂ）は楔部材を下孔に挿通させるときの作用を示す断面図、（Ｃ）は楔部材による緊結状態を示す断面図、（Ｄ）は爪部材による抜止め作用を示す断面図である。
【図８】従来技術を示しており、（Ａ）は顎部材と楔部材を分解状態で示す斜視図、（Ｂ）はフランジと顎部材を緊結する前の状態を示す斜視図、（Ｃ）はフランジと顎部材を緊結した状態を示す斜視図である。
【発明を実施するための形態】
【００２０】
以下図面に基づいて本発明の好ましい実施形態を詳述する。
【００２１】
（基本的実施形態）
図１は、本発明の基本的実施形態を示している。図示実施形態は、仮設足場において、支柱２１に固設したフランジと、横架材２２に固設した顎部材を着脱自在に連結するための楔緊結装置を例示している。従って、以下、前記フランジを第１部材２３、前記顎部材を第２部材２５として、楔部材２６により楔緊結する装置を説明するが、緊結の目的や用途等が限定されるものでないことを諒解されたい。
【００２２】
上述の従来技術と同様に、第１部材２３は、挿通孔２４を設けている。これに対して、第２部材２５は、上顎部２７及び下顎部２８にそれぞれ上孔２９と下孔３０を設け、上下顎部１７、２８の間に受入口Ｓを形成している。
【００２３】
図示のように、前記上下顎部２７、２８の先端を支柱２１に臨ませることにより、前記受入口Ｓに第１部材２３を進入させた状態で、挿通孔２４の上下に上孔２９及び下孔１０を連通することにより楔挿入路が形成され、該楔挿入路に上方から楔部材２６が挿通され、楔緊結するように構成されている。
【００２４】
このため、楔部材２６は、前記楔挿通路に挿通自在な厚さとされた上下方向に細長い盤状体より形成され、腹部３１と背部３２の間の幅寸法を下方に向けて次第に幅狭とするように形成されている。尚、楔部材２６の上端部には、頭付きのピンから成る上ストッパ３３が設けられている。
【００２５】
前記上顎部２７の上孔２９及び下孔３０は、それぞれ、支柱２１に臨む側の縁部により、楔部材２６の腹部３１を接支する支持部２９ａ、３０ａを形成し、前記挿通孔２４は、前記支持部２９ａ、３０ａに対向する縁部により、接支部２４ａを形成している。
【００２６】
この際、楔緊結力が作用する方向（横架材２２の軸方向）の幅に関して、上下孔２９、３０は、前記支持部２９ａ、３０ａを支柱２１と平行な鉛直線上に配置しており、上孔２９の幅寸法Ｗ１と、下孔３０の幅寸法Ｗ２と、挿通孔２４の前記鉛直線から接支部２４ａまでの幅寸法Ｗ３は、Ｗ１＞Ｗ２＞Ｗ３となるように形成されている。
【００２７】
これに対して、楔部材２６は、第２部材２３の上孔２９から下孔３０に挿通することにより第１部材２３の挿通孔２４を貫通し、ハンマー等により殴打して下動させることにより、腹部３１を上下孔２９、３０の支持部２９ａ、３０ａに接支させると共に、背部３２を挿通孔２４の接支部２４ａに圧接させ、これにより、図１（Ｂ）に示すように、第１部材２３と第２部材２５を楔緊結状態で連結する。
【００２８】
このため、腹部３１と背部３２の間の幅寸法を下方に向けて次第に幅狭とする楔部材２６は、上下方向の幅寸法ＷＸがＷＸ＝Ｗ３とされた部分の背部３２に圧接部３２ａを形成しており、該圧接部３２ａを接支部２４ａに圧接することにより緊結状態を可能にする。
【００２９】
そこで、楔部材２６は、前記下孔３０から下向きに挿出される下端延長部２６ａを備えると共に、該下端延長部２６ａに所定の限定された角度範囲で正逆回転方向に回動自在な爪部材３４を設けており、該爪部材３４は、矢印Ｆで示すように正転したとき下端延長部２６ａの背部から突出する突出姿勢Ｐ１とされ、矢印Ｒで示すように逆転したとき背部に沿う格納姿勢Ｐ２とされるように構成されている。
【００３０】
この際、図１（Ａ）に示すように、格納姿勢Ｐ２とした爪部材３４を含む下端延長部２６ａの最大幅寸法ＷＳと、突出姿勢Ｐ１とした爪部材３４を含む下端延長部２６ａの最大幅寸法ＷＬは、Ｗ３＞ＷＳとされ、ＷＬ＞Ｗ２とされるように構成されている。
【００３１】
従って、図１（Ｂ）に示すように、楔緊結状態とした楔部材２６は、下孔３０の下方に挿出された下端延長部２６ａから前記爪部材３４を突出姿勢Ｐ１とすることにより、楔部材２６の抜取り方向に関して、爪部材３４を下孔３０に通過不能とする抜止め手段が構成される。この際、図１（Ｃ）に示すように、爪部材３４の回転半径ｒと、下端延長部２６ａの下孔３０から爪部材３４の回転中心に至るまで３の距離Ｌは、楔緊結状態とした下端延長部２６ａに対して爪部材３４を突出姿勢Ｐ１から逆転することにより格納姿勢Ｐ２とすることができるように構成されている。このため、爪部材３４を格納姿勢Ｐ２とすれば、楔部材２６の抜取りが可能である。
【００３２】
（第１実施形態）
図２及び図３は、楔部材６の第１実施形態を示しており、下端延長部２６ａは、背部３２に開口する格納室３５を形成している。爪部材３４は、基部を格納室３５に収納した状態で波形ピン等から成る軸部材３６で軸着されており、これにより、格納室３５に格納された格納姿勢Ｐ２と、該格納室３５から突出する突出姿勢Ｐ１の間において、限定された角度の範囲で、正転方向Ｆと逆転方向Ｒに回動自在である。
【００３３】
爪部材３４は、正転方向Ｆに臨む側縁部にガイド部３７を形成すると共に、反対側の逆転方向に臨む側縁部にテーパ部３８を形成している。
【００３４】
そこで、図３（Ａ）に示すように、楔部材６を鉛直姿勢として爪部材３４をユーザの指先等で格納室３５に押し込んだとき、爪部材３４は、テーパ部３８を格納室３５の内側壁３５ａに沿って当接する位置まで逆転方向Ｒに進入させられ、この状態で爪部材３４の自重により逆転方向Ｒにモーメントを生じるように構成されている。従って、テーパ部３８は、逆転方向Ｒのモーメントを生じさせることにより爪部材３４を格納姿勢Ｐ２に保持するための格納保持手段３９を構成する。
【００３５】
この状態から、図３（Ｂ）に示すように、背部３２が下向きとなるように楔部材２６の姿勢を傾斜させると、爪部材３４の重心が移動することにより、正転方向Ｆのモーメントを生じ、爪部材３４は、突出姿勢Ｐ１に向けて回動する。モーメントが逆転方向Ｒから正転方向Ｆに向けて切り変わり、所定角度だけ回動したとき、爪部材３４のガイド部３７が格納室３５から進出し、爪部材３４を格納姿勢Ｐ２と突出姿勢Ｐ１の間の中間姿勢Ｐ３とする。
【００３６】
中間姿勢Ｐ３とされた爪部材３４は、自重で突出姿勢Ｐ１に向けて付勢されているが、外力を受けると簡単に逆転方向Ｒに向けて回動する。そして、外力から解放されると再び自重で正転方向Ｆに向けて回動する。この中間姿勢Ｐ３とされた爪部材３４を含む下端延長部２６ａの幅寸法ＷＭは、図１に基づいて説明した下端延長部２６ａの幅寸法ＷＳ及びＷＬに対して、ＷＬ＞ＷＭ＞ＷＳとされるように構成されている。
【００３７】
爪部材３４は、図３（Ｃ）に示すように、突出姿勢Ｐ１とされたとき、該爪部材３４の基部を格納室３５の底壁３５ｂに当接することにより停止し、突出姿勢Ｐ１を保持する。つまり、突出姿勢Ｐ１から逆転方向Ｒには回動可能であるが、更に正転方向Ｆには回動不能とされている。従って、爪部材３４の基部には、爪部材３４を突出姿勢Ｐ１に保持するための突出保持手段４０が構成されている。
【００３８】
（第２実施形態）
図４及び図５は、楔部材６の第２実施形態を示しており、下端延長部２６ａは、両側を切削等で凹入させた軸支部４１を形成している。爪部材３４は、下端延長部２６ａの背部側から軸支部４１を抱持する断面コ字形の溝形部材４２を構成し、該溝形部材４２から突出された一対のブラケット４３、４３により前記軸支部４１を挟持した状態で、波形ピン等から成る軸部材４４で軸着されている。爪部材３４は、溝形部材４２により軸支部４１を抱持する格納姿勢Ｐ２と、溝形部材４２を軸支部４１から離反して突出させた突出姿勢Ｐ１の間において、限定された角度の範囲で、正転方向Ｆと逆転方向Ｒに回動自在であり、溝形部材４２の正転方向Ｆに臨む側縁部にガイド部３７を形成している。
【００３９】
前記溝形部材４２の両側壁には、内側に向けて対向する突起４５が設けられており、爪部材３４を格納姿勢Ｐ２としたとき、前記突起４５が軸支部４１の両側面に係止することにより、爪部材３４を格納姿勢Ｐ２に保持するための格納保持手段３９を構成する。
【００４０】
そこで、図５（Ａ）に示すように、ユーザが指先等で爪部材３４を正転方向Ｆに引き出すと、前記突起４５が軸支部４１から脱出し、爪部材３４を格納姿勢Ｐ２と突出姿勢Ｐ１の間の中間姿勢Ｐ３とする。
【００４１】
この状態で、図５（Ｂ）に示すように、背部３２が下向きとなるように楔部材２６の姿勢を傾斜させると、中間姿勢Ｐ３とされた爪部材３４は、自重で正転方向Ｆのモーメントを生じ、突出姿勢Ｐ１に向けて回動するが、外力を受けると簡単に逆転方向Ｒに向けて回動する。そして、外力から解放されると再び自重で正転方向Ｆに向けて回動する。この中間姿勢Ｐ３とされた爪部材３４を含む下端延長部２６ａの幅寸法ＷＭは、図１に基づいて説明した下端延長部２６ａの幅寸法ＷＳ及びＷＬに対して、ＷＬ＞ＷＭ＞ＷＳとされるように構成されている。
【００４２】
爪部材３４は、図５（Ｃ）に示すように、突出姿勢Ｐ１とされたとき、溝形部材４２の基部を軸支部４１の下端部に当接することにより停止し、突出姿勢Ｐ１を保持する。つまり、突出姿勢Ｐ１から逆転方向Ｒには回動可能であるが、更に正転方向Ｆには回動不能とされている。従って、溝形部材４２の基部には、爪部材３４を突出姿勢Ｐ１に保持するための突出保持手段４０が構成されている。
【００４３】
（作用）
上記実施形態に係る楔緊結装置は、図６及び図７に順に示すような方法で第１部材２３と第２部材２５を緊結することができる。尚、図６及び図７は、上記第１実施形態に係る楔部材を図示しているが、第２実施形態の場合においても楔部材の作用は同様である。
【００４４】
楔部材２６は、爪部材３４を突出姿勢Ｐ１とした状態でも下端延長部２６ａを第２部材２５の上孔２９に挿入することが可能である。そして、下端延長部２６ａを上孔２９に挿入した状態で、突出姿勢Ｐ１とした爪部材３４を上孔２９の縁部に下側から係止することにより、楔部材２６を上顎部２７の上方に傾斜姿勢として保持することができるので、この状態で、図６（Ａ）に示すように、上下顎部２７、２８の間の受口部Ｓに第１部材２３を進入させることができる。
【００４５】
この状態から、図６（Ｂ）（Ｃ）（Ｄ）に順を追って示すように、楔部材２６を起立させながら挿通孔２４に挿入すると、中間姿勢Ｐ３とされた爪部材３４のガイド部３７が挿通孔２４の接支部２４ａに当接して摺動し、爪部材３４を逆転方向Ｒに向けて回動させるので、これにより、簡単容易に、楔部材２６の下端延長部２６ａと爪部材３４を挿通孔２４に挿通させることができる。
【００４６】
更に、図７（Ａ）（Ｂ）（Ｃ）に順に示すように、前記挿通孔２４を通過した爪部材３４は、自重により正転方向Ｆに向けて突出姿勢Ｐ１となるように回動するが、下端延長部２６ａを下孔３０に挿入する際、該下孔３０の縁部によりガイド部３７が押し上げられることにより逆転方向Ｒに向けて回動し、再び中間姿勢Ｐ３として、ガイド部３７を下孔３０の縁部に摺動させながら逆転方向Ｒに回動するので、これにより、簡単容易に、楔部材２６の下端延長部２６ａと爪部材３４を下孔３０に挿通させることができる。
【００４７】
そして、下孔３０を通過すると、爪部材３４は、自重で自動的に突出姿勢Ｐ１を保持するので、この状態で、楔部材２６をハンマー等により殴打して下動させれば、図７（Ｃ）に示すように楔緊結状態が得られる。
【００４８】
その後、万一、楔部材２６が緊結状態から弛緩され、上向きの外力を受けたとしても、爪部材３４が突出姿勢Ｐ１を保持しているので、図７（Ｄ）に示すように、爪部材３４により下孔３０を通過不能とする抜止め手段が構成されているので、楔部材２６が下孔３０及び挿通孔２４から脱出することはなく、第１部材２３と第２部材２５の連結状態を維持することができる。
【００４９】
尚、意図して第１部材２３と第２部材２５を分離するために楔部材２６を抜取るときは、爪部材３４を格納姿勢Ｐ２とすれば、格納保持手段３９により保持されるので、抜取り作業を簡単容易に行うことができる。
【符号の説明】
【００５０】
２１  支柱
２２  横架材
２３  第１部材
２４  挿通孔
２４ａ  接支部
２５  第２部材
２６  楔部材
２６ａ  下端延長部
２７  上顎部
２８  下顎部
２９  上孔
２９ａ  支持部
３０  下孔
３０ａ  支持部
３１  腹部
３２  背部
３２ａ  圧接部
３３  上ストッパ
３４  爪部材
３５  格納室
３５ａ  内側壁
３５ｂ  底壁
３６  軸部材
３７  ガイド部
３８  テーパ部
３９  格納保持手段
４０  突出保持手段
４１  軸支部
４２  溝形部材
４３  ブラケット
４４  軸部材
４５  突起
【図１】
2018071196.tif 000003
【図２】
2018071196.tif 000004
【図３】
2018071196.tif 000005
【図４】
2018071196.tif 000006
【図５】
2018071196.tif 000007
【図６】
2018071196.tif 000008
【図７】
2018071196.tif 000009
【図８】
2018071196.tif 000010